(57)【要約】【課題】抗圧強度が高く、パッケージした後の堆積高さをより高くでき、さらに、様々なサイズの被保護製品に適用でき、コストが低下し資源を無駄にしない多重化組合可能な緩衝構造を提供すること。【解決手段】少なくとも二つの本体と一対の先端ヘッド部とを含む。本体はいずれも紙材で作製され、長棒形且つ断面Ｕ字状の本体は、その外形に応じて形成された中空胴体を有し、中空胴体は本体の両端を貫通し、そのうちの一つの本体は、もう一つの本体の中空胴体内に可動に挿通して伸縮棒が形成され、先端ヘッド部も紙材で作製され、Ｕ字状の先端ヘッド部は、その外形に応じて形成された中空胴体を有し、中空胴体は、先端ヘッド部の両端を貫通し、先端ヘッド部の中空胴体内には少なくとも紙材で作製された補強材が収容され、該一対の先端ヘッド部は、それぞれ、各該本体の中空胴体に応じて該伸縮棒の両端にそれぞれ可動に挿通できる。【選択図】図２
0003151196.tif 000002
【実用新案登録請求の範囲】
【請求項１】
少なくとも二つの本体と一対の先端ヘッド部とを含み、
前記少なくとも二つの本体は、紙材で作製され、それぞれの長棒形且つ断面Ｕ字状の本体であって、その外形に応じて形成された中空胴体を有し、それぞれの前記中空胴体が各前記本体の両端を貫通し、そのうちの一つの本体は、もう一つの本体の中空胴体内に可動に挿通して伸縮棒が形成され、
前記一対の先端ヘッド部は紙材で作製され、それぞれのＵ字状の先端ヘッド部であって、その外形に応じて形成された中空胴体を有し、それぞれの前記中空胴体は、前記該先端ヘッド部の両端を貫通し、それぞれの前記先端ヘッド部の中空胴体内には、少なくとも紙材で作製された補強材が収容され、一対の先端ヘッド部は、それぞれ、各前記本体の中空胴体に応じて前記伸縮棒の両端にそれぞれ可動に挿通する、
多重化組合可能な緩衝構造。
【請求項２】
さらに、少なくとも紙材で作製されたストッパを含み、各前記本体は、Ｕ字状を形成するための凹溝を有し、前記ストッパが前記本体の凹溝内に固定されていることを特徴とする、請求項１に記載の多重化組合可能な緩衝構造。
【請求項３】
前記ストッパは、いずれも紙材で作製された一対のＵ字状材を含み、前記一対のＵ字状材は、互いに対向して矩形体を形成していることを特徴とする、請求項２に記載の多重化組合可能な緩衝構造。
【請求項４】
前記各本体の両外側壁、外底壁及び内底壁に複数の抗圧模様が設けられ、前記抗圧模様は、前記本体の長手方向に平行し前記各先端ヘッド部の両外側壁及び外底壁にも複数の抗圧模様が設けられ、前記抗圧模様は、前記先端ヘッド部の高さ方向に平行することを特徴とする、請求項１に記載の多重化組合可能な緩衝構造。
【請求項５】
前記各本体の断面は、Ｕ字状を形成するための両立て部と、前記両立て部の一端の間を接続する横断部とを含み、前記各本体の中空胴体も、両立て部と横断部とを対応して区画し、さらに前記各先端ヘッド部の断面も、Ｕ字状を形成するための両立て部と、前記両立て部の一端の間を接続する横断部とを含み、前記先端ヘッド部の両立て部が、前記本体の中空胴体の両立て部内に挿通されていることを特徴とする、請求項１に記載の多重化組合可能な緩衝構造。
【請求項６】
さらに、複数の他の本体を含み、前記本体同士は互いに挿通して前記伸縮棒を形成していることを特徴とする、請求項１に記載の多重化組合可能な緩衝構造。
【請求項７】
前記各本体の中空胴体内に少なくとも紙材で作製された補強材が収容されていることを特徴とする、請求項１に記載の多重化組合可能な緩衝構造。
【考案の詳細な説明】
【技術分野】
【０００１】
本考案は、多重化組合可能な緩衝構造に係り、特に、包装箱と被保護製品との間に抗圧や、落下及び衝撃への耐性などの役割を生じるように、被保護製品を覆う緩衝構造を指すものであって、電器や、コンピュータ、様々なスクリーン、電子製品、機械製品及び砕け易いもの等に適用できる多重化組合可能な緩衝構造に関するものである。
【背景技術】
【０００２】
電器や、コンピュータ、様々なスクリーン、電子製品、機械製品及び砕け易いもの等の被保護製品を搬送または運送するため、いずれも、包装箱と被保護製品との間に緩衝作用を生じるように該被保護製品の外を緩衝材で覆う必要がある。これにより搬送または輸送過程において、これらの被保護製品を保護する効果が達成される。
【０００３】
伝統的な緩衝材は、スタイロフォームであるが、環境が保護できず、体積が大きく、また体積が大きいからコンテナースペースがかかり、運輸コストが向上するといった欠点を招く。
さらに、抗圧や、落下及び衝撃への耐性などの役割が、いずれも極めて足りないという欠点も有する。
【０００４】
図１に示すように、従来の緩衝材９００は、紙パルプ成型（パルプモールド）で成形された緩衝本体９を有する。該緩衝本体９はＵ字状で、且つ同じくＵ字状である中空胴体９１と４つの円弧形辺端部９２とを有し、該中空胴体９１及び４つの円弧形辺端部９２により緩衝の役割を果す。
【０００５】
しかし、これらの従来の緩衝材９００は、以下の欠点がある。
（１）抗圧や、落下及び衝撃への耐性などの役割がなお足りない。
（２）様々な被保護製品のサイズに対しそれぞれ専用のモールド及び専用の緩衝材を作製しなければならないので、その製造コストが高く資源が無駄になるのは明らかである。
（３）紙パルプ成型（パルプモールド）で緩衝材９００を作製したので、高温、高湿度（コンテナー内に封入されかつ海運のため）の下で異臭が発生される欠点がある。
（４）湿度を防止できず及び高温には耐えられないので、海運には適用できない。
（５）抗圧強度が足りなく、パッケージした後の堆積高さについて、今までもなおより高く堆積できない欠点がある。
【０００６】
そのため、従来の緩衝材の上記欠点が改善できる本考案をどのように設計すればよいかということが、本考案の解決しようとする課題である。
【考案の概要】
【考案が解決しようとする課題】
【０００７】
本考案の目的は、特別な構造設計及び多層式の設計により、包装箱と被保護製品との間に好ましい抗圧や、落下及び衝撃への耐性などの役割を生じ、抗圧強度が高く、パッケージした後の堆積高さをより高くすることができる効果を達成し、さらに、伸縮可能な構造設計により、様々なサイズの被保護製品に適用でき、コストが低下し資源を無駄にしない効果を達成できる多重化組合可能な緩衝構造を提供することにある。
【０００８】
本考案の次の目的は、好ましい抗圧や、落下及び衝撃への耐性などの役割を有することにより、これらの緩衝構造の厚さが厚くしなくても良く、且つ、本体、先端ヘッド部及びストッパは、いずれも、同一のモールドで製造でき、コストがより低下し資源を無駄にしない効果を達成できる多重化組合可能な緩衝構造を提供することにある。
【０００９】
本考案のもう一つの目的は、さらに、緩衝構造の覆い溝内に少なくとも一つのストッパが固定されることにより、これらの緩衝構造の適用性をより幅広くすることができる多重化組合可能な緩衝構造を提供することにある。
【００１０】
本考案のもう一つの目的は、緩衝構造を作製する紙材は、原紙（ｂａｓｅ  ｐａｐｅｒ、加工原紙ともいい、例えば、ダンボール原紙等）であり、従来の紙パルプ成型（パルプモールド）の方式ではないので、異臭が生じず、湿度防止可能、耐高温、及び海運に適用できる等の効果を有し、さらに、体積が小さく、コンテナースペースがかからず、運送コストが低下し、環境保護の要求にも符合する効果を有する多重化組合可能な緩衝構造を提供することにある。
【課題を解決するための手段】
【００１１】
前記目的を達成するために、本考案が提供する多重化組合可能な緩衝構造は、少なくとも二つの本体と一対の先端ヘッド部とを含む。該二つの本体は、紙材で作製され、それぞれの該長棒形且つ断面Ｕ字状の本体は、その外形に応じて形成された中空胴体を有し、それぞれの該中空胴体は、各該本体の両端を貫通し、そのうちの一つの本体は、もう一つの本体の中空胴体内に可動に挿通して伸縮棒が形成され、該一対の先端ヘッド部も紙材で作製され、それぞれの該Ｕ字状の先端ヘッド部は、その外形に応じて形成された中空胴体を有し、それぞれの該中空胴体は、各該先端ヘッド部の両端を貫通し、それぞれの該先端ヘッド部の中空胴体内には少なくとも紙材で作製された補強材が収容され、該一対の先端ヘッド部は、それぞれ、各該本体の中空胴体に応じて該伸縮棒の両端にそれぞれ可動に挿通できる。
【考案の効果】
【００１２】
よって、包装箱と被保護製品との間に好ましい抗圧や、落下及び衝撃への耐性などの役割を生じ、さらに、伸縮可能な構造設計により、様々なサイズの被保護製品に適用でき、抗圧強度が高く、パッケージした後の堆積高さをより高くし、コストが低下し資源を無駄にしない効果を達成できる。
【図面の簡単な説明】
【００１３】
【図１】従来の緩衝材の外観斜視図である。
【図２】本考案の斜視分解図である。
【図３】本考案の斜視組合図である。
【図４】（ａ）（ｂ）（ｃ）は本考案の図３によるａ−ａ、ｂ−ｂ及びｃ−ｃ線の断面図である。
【図５】本考案の使用状態を示す図である。
【図６】本考案の他の実施例を示す図である。
【図７】本考案の他の実施例の使用状態を示す図である。
【図８】本考案の他の実施例を示す図である。
【図９】本考案の他の実施例を示す図である。
【００１４】
本考案の特徴及び技術内容を深く且つ具体的な理解できるため、以下に本考案に関わる詳しい説明及び添付図面を参照するが、それらの添付図面が参考及び説明のみに使われ、本考案の主張範囲を狭義的に局限するものではないことは言うまでもないことである。
【考案を実施するための形態】
【００１５】
本考案が提供する多重化組合可能な緩衝構造は、従来のスタイロフォームまたはパルプモールドで成形した緩衝材に代わるものであり、此れによって、包装箱と被保護製品との間に抗圧や、落下及び衝撃への耐性などの役割を生じる。
【００１６】
図２〜図４に示すように、該緩衝構造１００は、少なくとも二つの本体１と一対の先端ヘッド部２とを含み、また、少なくとも一つのストッパ３を含むことが好ましい。
【００１７】
該二つの本体１は、紙材（例えば、ダンボール紙）で作製され、各該長棒形且つ断面Ｕ字状の本体１は、その外形に応じて形成された中空胴体１０を有し、各該中空胴体１０は、各該本体１の両端を貫通し、そのうちの一つの本体１は、もう一つの本体１の中空胴体１０内に可動に挿通して、“被保護製品”のサイズに応じて伸縮自在な伸縮棒が形成される。該伸縮棒は、少なくとも二つの本体１で挿通して形成され、図に示すものは、二つの本体１同士で伸縮棒になるように挿通されるが、勿論、複数の本体１同士で伸縮棒になるように挿通しても良い（例えば、図６〜図９に示すように）。
【００１８】
該一対の先端ヘッド部２も、紙材（例えば、ダンボール紙）で作製され、各該Ｕ字状の先端ヘッド部２は、その外形に応じて形成されたＵ字状の中空胴体２０を有し、各該中空胴体２０は、各該先端ヘッド部２の両端を貫通し、各該先端ヘッド部２の中空胴体２０内には、少なくとも紙材（例えば、ダンボール紙紙）で作製された補強材２５が収容されることにより、先端ヘッド部２の中空胴体２０内に一層の構造が増加され、先端ヘッド部２の抗圧、落下及び衝撃への耐性の強度が増加される。その中の一つの先端ヘッド部２は、一つの本体１の中空胴体１０に応じて該伸縮棒の一端にそれぞれ可動に挿通でき、他の先端ヘッド部２は、もう一つの本体１の中空胴体１０に応じて該伸縮棒の他端にそれぞれ可動に挿通できる。
【００１９】
各該本体１の両外側壁１１、外底壁１２及び内底壁１３に複数の抗圧模様１４（図４のａ）が設けられ、これらの抗圧模様１４は、本体１の長手方向に平行することで、より好ましい抗圧や、落下及び衝撃への耐性などの役割を生じ、各該先端ヘッド部２の両外側壁２１及び外底壁２２にも複数の抗圧模様２４（図４のｂ）が設けられ、これらの抗圧模様２４は、先端ヘッド部２の高さ方向に平行することで、より好ましい抗圧や、落下及び衝撃への耐性などの役割を生じる。
【００２０】
図４のａに示すように、各該本体１の断面は、Ｕ字状を形成するための両立て部（符号示せず）と、該両立て部の一端の間を接続する横断部（符号示せず）とを含み、各該本体１の中空胴体１０も、両立て部と横断部とを対応して区画し、さらに、図４のｂに示すように、各該先端ヘッド部２の断面も、Ｕ字状を形成するための両立て部と、該両立て部の一端の間を接続する横断部とを含み、図２、図３に示すように、該先端ヘッド部２の両立て部が、該本体１の中空胴体１０の両立て部内に挿通され、よって前記の緩衝構造１００が組み立てられる。
【００２１】
図２に示すように、各該本体１は、Ｕ字状を形成するための凹溝１５を有し、該緩衝構造１００の両先端ヘッド部２の間の複数の凹溝１５（図に示された実施例は、２つの凹溝１５であり）は、被保護製品５００を覆うための覆い溝１６（図３に示すように）を組み立ている。
【００２２】
図５に示すように、被保護製品５００を包装箱（図示せず）内に封入しようとする時に、その両側に本考案の緩衝構造１００をそれぞれ覆い、且つ、これらは、被保護製品５００の側辺の長さに応じて、同じ長さになるように緩衝構造１００の伸縮長さを制御して覆われるので、緩衝構造１００の覆い溝１６で被保護製品５００の側辺を覆い、包装箱と被保護製品５００との間に好ましい抗圧や、落下及び衝撃への耐性などの保護作用を生じる。
【００２３】
各該先端ヘッド部２の中空胴体２０内に補強材２５が増加される他、各該本体１の中空胴体１０内にも、紙材（例えば、ダンボール紙）で作製された補強材（図示せず）を増設でき、且つ、本体１の補強材であろうか、先端ヘッド部２の補強材２５であっても、いずれも、紙材で作製された構造であればよい、図に示すように、該補強材２５は、先端ヘッド部２のサイズより小さいタイプ（本体１の補強材も同一方式で作製でき）であっても良い。
【００２４】
図６に示すように、該緩衝構造１００は、さらに、少なくとも紙材（例えば、ダンボール紙）で作製されたストッパ３を含み、該ストッパ３は、該一つの本体１の凹溝１５内に固定され、即ち、緩衝構造１００の覆い溝１６（図６に示すように）に固定された緩衝構造１００は、三本の本体１同士で可動に挿通して形成される。図７に示すように、ストッパ３で“小型付属部品（符号示せず）を同時に収容する必要のある”被保護製品５００に適用でき、即ち、一対の緩衝構造１００間の空間の大きい方の上段は、被保護製品５００を覆い、且つ、該被保護製品５００がストッパ３に止められ弛め難く、該一対の緩衝構造１００間の空間の小さい方の下段は、左右別に該被保護製品５００の小型付属部品を収容し、図に示すように、該被保護製品５００は、ノートブックであり、２つの小型付属部品は、それぞれ、該ノートブックの電源線及び変圧器であり、これらの緩衝構造１００は、ストッパ３により適用性がより幅広くなる効果（様々な異なるサイズで、異なる小型付属部品をそれぞれ有する被保護製品に適用でき）を有し、ひいて、小型付属部品を同時に収容できるようになる。或いは、被保護製品５００の長さがいずれか一つの本体１より短くなると（図示せず）、被保護製品５００が弛め難くなるように、一つの本体１の凹溝１５内にストッパ３が固定されても良い。
【００２５】
図８に示すように、該緩衝構造１００の覆い溝１６内にも、少なくとも一つのストッパ３が固定でき、図に示すように、２つのストッパ３が固定され、緩衝構造１００が三段に分けられ、空間の大きい方の該段部は、被保護製品５００を覆い、空間の小さい方の他の両段は、４つの小型付属部品を収容できる。
【００２６】
図９に示すように、被保護製品５００の重さが重いと、該重いの被保護製品５００の底部が重力で損害されることを避けるため、緩衝構造１００の一端には該先端ヘッド部２が挿通されているが、他端には先端ヘッド部を有さず、他端に近接する覆い溝１６内に長棒形のストッパ３が固定され、該重いの被保護製品５００の下への重力を支持し、さらに、下への外力（振動や、衝撃または揺動）をも支持でき、言い換えれば、より大きな垂直方向の力を支持でき、ひいて、複数の包装箱の体積をより高くすることには有利になる。
【００２７】
前記ストッパ３は、あらゆる方式で構成しても良い、図に示す実施例は、いずれも紙材で作製された一対のＵ字状材３１、３２を含み、該一対のＵ字状材３１、３２は、互いに対向して矩形体を形成し、且つ、各該Ｕ字状材３１、３２にはいずれも抗圧模様（符号示せず）が設けられている。
【００２８】
本考案に係る多重化組合可能な緩衝構造の特徴は、特別なＵ字状及び抗圧模様１４、２４等の構造設計により、さらに多層式の設計を加え、包装箱と被保護製品との間に好ましい抗圧や、落下及び衝撃への耐性などの役割を生じ、抗圧強度が高く、パッケージした後の堆積高さをより高くすることができる効果を達成し、ここでの多層式設計とは、両本体１同士が挿通の重なる箇所（図４のｃのように）、各該先端ヘッド部２内に設けられた補強材２５、或いは、各該本体１内に設けられた補強材（補強材２５と同じような方式で作製され）であり、さらに、互いに挿通する複数の本体１の伸縮可能な構造設計により、様々なサイズの被保護製品５００に適用でき、コストが低下し資源を無駄にしない効果を達成できる。緩衝構造１００は好ましい抗圧や、落下及び衝撃への耐性などの役割を有することにより、これらの緩衝構造１００の厚さが厚くしなくても良く、且つ、本体１、先端ヘッド部２及びストッパ３は、いずれも、同一のモールドで製造でき、コストがより低下し資源を無駄にしない効果を達成できる。さらに、緩衝構造１００の覆い溝１６内に少なくとも一つのストッパ３が固定されることにより、これらの緩衝構造１００の適用性（様々な異なるサイズで、異なる小型付属部品をそれぞれ有する被保護製品に適用でき）をより幅広くすることができ、ひいて、様々な小型付属部品を同時に収容できる。緩衝構造１００の覆い溝１６の一端に長棒形のストッパ３が固定されることにより、該重いの被保護製品５００からの重力（重力方向は該長棒形のストッパ３の長手方向に平行し）を支持でき、さらに、例えば、振動や、衝撃または揺動などのより大きな外力（外力方向は該長棒形のストッパ３の長手方向に平行し）をも支持でき、言い換えれば、より大きな同方向の重力または外力を支持でき、重い被保護製品への保護に有利となり、ひいて、複数の包装箱の体積をより高くすることできる。緩衝構造１００を作製する紙材は、原紙（ｂａｓｅ  ｐａｐｅｒ、加工原紙ともいい、例えば、ダンボール原紙等）であり、従来の紙パルプ成型（パルプモールド）の方式ではないので、異臭が生じず、湿度防止可能、耐高温、及び海運に適用できる等の効果を有し、さらに、体積が小さく、コンテナースペースがかからず、運送コストが低下し、環境保護の要求にも符合する効果を有する。本体１及び先端ヘッド部２は、それぞれ、中空胴体１０、２０を有することにより、振動及び揺動の許容マージンを有し、言い換えれば、外力が本体１または先端ヘッド部２のいずれかの外壁にかかると、該中空胴体１０、２０の存在により、外壁のみ外力に影響されるが、内壁が影響されないので、これらの内壁のみに接触された被保護製品５００が外力による振動及び揺動の無い場合でよく保護されるようになり、被保護製品５００は摩擦による摩損を受けなくなる。
【００２９】
前記した構成は、単に本考案の好ましい実施例に過ぎず、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【符号の説明】
【００３０】
１００      緩衝構造
１          本体
２          先端ヘッド部
３          ストッパ
１０        中空胴体
１１        外側壁
１２        外底壁
１３        内底壁
１４        抗圧模様
１５        凹溝
１６        覆い溝
２０        中空胴体
２１        外側壁
２２        外底壁
２３        内底壁
２４        抗圧模様
２５        補強材
３１、３２    Ｕ字状材
５００      被保護製品
９００      緩衝材
９          緩衝本体
９１        中空胴体
９２        円弧形辺端部
【図１】
0003151196.tif 000003
【図２】
0003151196.tif 000004
【図３】
0003151196.tif 000005
【図４】
0003151196.tif 000006
【図５】
0003151196.tif 000007
【図６】
0003151196.tif 000008
【図７】
0003151196.tif 000009
【図８】
0003151196.tif 000010
【図９】
0003151196.tif 000011